(57)【特許請求の範囲】
【請求項１】
所定の通信可能領域に保持された記録媒体との間で情報の読み出しおよび書き込みを行う読み書き手段を備え、前記通信可能領域に保持された記録媒体に対して、前記読み書き手段を通じて投入された金銭に対応する入金情報を付与するようにした入金処理装置において、
入金情報の書込指令を与えられた読み書き手段が予め決められた所定時間内に記録媒体に書き込みができなかった場合、あるいは記録媒体に入金情報の書き込みが行われたか否かが不明の場合には、前記読み書き手段を通じて通信可能領域に保持された記録媒体から情報の読み出しを行い、該記録媒体が前記書込指令の対象となる記録媒体と一致すること、並びに該記録媒体に書込指令での入金情報が与えられていないことを確認した上で、前記読み書き手段を通じて再度書き込みを行うことを特徴とする入金処理装置。
【請求項２】
前記読み書き手段に対して読出指令あるいは書込指令を与える制御手段を備え、
前記読み書き手段は、前記制御手段から入金情報の書込指令が与えられた場合において、予め決められた所定時間内に、前記通信可能領域に記録媒体が保持されているか否かが検出できなかったとき、あるいは前記通信可能領域に保持されていると検出した記録媒体が書込指令の対象となる記録媒体と一致しなかったときは、時間切れである旨のタイムアウト情報を前記制御手段に送出する一方、通信可能領域に保持された記録媒体に対して入金情報の書き込みを行って該記録媒体より応答がないときは、書き込みが行われた否かが不明である旨の書込不明情報を前記制御手段に送出するものであり、
前記制御手段は、前記読み書き手段からタイムアウト情報もしくは書込不明情報が与えられた場合には、前記読み書き手段を通じて通信可能領域に保持された記録媒体から情報の読み出しを行い、該記録媒体が前記書込指令の対象となる記録媒体と一致すること、並びに該記録媒体に書込指令での入金情報が与えられていないことを確認した上で、前記読み書き手段に書込指令を与えて再度書き込みを行うことを特徴とする請求項１に記載の入金処理装置。
【発明の詳細な説明】
【技術分野】
【０００１】
本発明は、入金処理装置に関するものであり、より詳細には、所定の通信可能領域に保持された記録媒体に対して、投入された金銭に対応する入金情報を付与する入金処理装置の改良に関する。
【背景技術】
【０００２】
近年、非接触ＩＣカード、あるいは携帯電話等の記録媒体に電子マネー（貨幣価値情報）を記録しておき、この記録媒体に記録した電子マネーを用いて商品の購入、サービスの提供に関する決済を行うシステムが普及している。
【０００３】
この種の記録媒体においては、記録した電子マネーの残高が少なくなると、商品の購入、サービスの提供に関する決済ができなくなるので、記録媒体に電子マネーをチャージ（積み増し）する必要がある。この電子マネーのチャージには、投入された金銭に対応する入金情報（電子マネー）を記録媒体に対して付与（チャージ）する電子マネーチャージ機と称されるような入金処理装置が広く一般に用いられている。
【０００４】
このような入金処理装置では、読出指令あるいは書込指令が与えられることにより、所定の通信可能領域に保持された記録媒体との間で情報の読み出しおよび書き込みを行う読み書き手段であるリーダライタを備えている。このリーダライタに対して入金情報の書込指令を与えることにより、通信可能領域に保持された記録媒体に対して入金情報の書き込むを行うようにしている（例えば、特許文献１参照）。
【０００５】
【特許文献１】特開２００３−３６４６６号公報
【発明の開示】
【発明が解決しようとする課題】
【０００６】
ところで、上述したような入金処理装置においては、入金情報の書込指令が与えられたリーダライタ（読み書き手段）が、通信可能領域に保持された記録媒体に対して入金情報の書き込みを行うが、記録媒体の保持の仕方、例えば記録媒体のかざし方等により、リーダライタが予め決められた所定時間内に記録媒体に書き込みができなかった場合、あるいは記録媒体に入金情報の書き込みが行われたか否かが不明の場合がある。このような場合に、上記入金処理装置では、一律に書込処理を中断して、入金情報の書き込みが失敗したものとして未了扱いにしてエラーメッセージ等を発するようにしていた。
【０００７】
記録媒体の保持の仕方により、上記所定時間内に記録媒体に書き込みができないことや、記録媒体に入金情報の書き込みが行われたか否かが不明となることは、散見される事象である。
【０００８】
従って、リーダライタが予め決められた所定時間内に記録媒体に書き込みができなかった場合、あるいは記録媒体に入金情報の書き込みが行われたか否かが不明の場合には、一律に入金情報の書き込みが失敗したものとして取り扱っていたのでは、未了扱いとなる記録媒体の増大を招来し、入金に関するトラブルが増大してしまう虞れがある。
【０００９】
本発明は、上記実情に鑑みて、入金情報の書き込みが失敗となる事象を減少させることにより、入金に関するトラブルを減少させることができる入金処理装置を提供することを目的とする。
【課題を解決するための手段】
【００１０】
上記目的を達成するため、本発明の請求項１に係る入金処理装置は、所定の通信可能領域に保持された記録媒体との間で情報の読み出しおよび書き込みを行う読み書き手段を備え、前記通信可能領域に保持された記録媒体に対して、前記読み書き手段を通じて投入された金銭に対応する入金情報を付与するようにした入金処理装置において、入金情報の書込指令を与えられた読み書き手段が予め決められた所定時間内に記録媒体に書き込みができなかった場合、あるいは記録媒体に入金情報の書き込みが行われたか否かが不明の場合には、前記読み書き手段を通じて通信可能領域に保持された記録媒体から情報の読み出しを行い、該記録媒体が前記書込指令の対象となる記録媒体と一致すること、並びに該記録媒体に書込指令での入金情報が与えられていないことを確認した上で、前記読み書き手段を通じて再度書き込みを行うことを特徴とする。
【００１１】
また、本発明の請求項２に係る入金処理装置は、上述した請求項１において、前記読み書き手段に対して読出指令あるいは書込指令を与える制御手段を備え、前記読み書き手段は、前記制御手段から入金情報の書込指令が与えられた場合において、予め決められた所定時間内に、前記通信可能領域に記録媒体が保持されているか否かが検出できなかったとき、あるいは前記通信可能領域に保持されていると検出した記録媒体が書込指令の対象となる記録媒体と一致しなかったときは、時間切れである旨のタイムアウト情報を前記制御手段に送出する一方、通信可能領域に保持された記録媒体に対して入金情報の書き込みを行って該記録媒体より応答がないときは、書き込みが行われた否かが不明である旨の書込不明情報を前記制御手段に送出するものであり、前記制御手段は、前記読み書き手段からタイムアウト情報もしくは書込不明情報が与えられた場合には、前記読み書き手段を通じて通信可能領域に保持された記録媒体から情報の読み出しを行い、該記録媒体が前記書込指令の対象となる記録媒体と一致すること、並びに該記録媒体に書込指令での入金情報が与えられていないことを確認した上で、前記読み書き手段に書込指令を与えて再度書き込みを行うことを特徴とする。
【発明の効果】
【００１２】
本発明の入金処理装置によれば、入金情報の書込指令を与えられた読み書き手段が予め決められた所定時間内に記録媒体に書き込みができなかった場合、あるいは記録媒体に入金情報の書き込みが行われたか否かが不明の場合には、読み書き手段を通じて通信可能領域に保持された記録媒体から情報の読み出しを行い、該記録媒体が書込指令の対象となる記録媒体と一致すること、並びに該記録媒体に書込指令での入金情報が与えられていないことを確認した上で、読み書き手段を通じて再度書き込みを行うので、記録媒体のかざし方等により、所定時間内に記録媒体に書き込みができないことや、記録媒体に入金情報の書き込みが行われたか否かが不明となっても再度書き込みを行って、書き込みが失敗して未了扱いとなる記録媒体の数を減少させることができる。従って、入金情報の書き込みが失敗となる事象を減少させることにより、入金に関するトラブルを減少させることができるという効果を奏する。
【発明を実施するための最良の形態】
【００１３】
以下に添付図面を参照しながら、本発明に係る入金処理装置の好適な実施の形態について詳細に説明する。尚、以下の実施の形態においては、入金処理装置の一例として電子マネーチャージ機について説明する。
【００１４】
図１は、本発明の実施の形態における電子マネーチャージ機（入金処理装置）が適用される電子マネーチャージシステムの構成を示すブロック図である。ここに例示する電子マネーチャージ機１は、現金決済による電子マネーのチャージ（以下、「現金チャージ」という）、クレジット会社（金融機関）から与えられた信用（与信）による電子マネーのチャージ（以下、「クレジットチャージ」という）、銀行口座（金融機関）の預貯金による電子マネーのチャージ（以下「デビットチャージ」という）を可能とするものである。
【００１５】
現金チャージは、投入された現金（例えば、紙幣）に相当する入金情報（電子マネー）を非接触ＩＣカードで構成されたマネーカード、あるいは非接触ＩＣチップが搭載された携帯電話等の記録媒体１００（図３参照）にチャージするもので、電子マネーの代金は即時決済される。
【００１６】
クレジットチャージは、予めクレジット会社により与えられた与信限度（信用限度）の限度内で電子マネーを記録媒体１００にチャージするもので、電子マネーの代金はクレジット会社によって立て替えられ、立て替えられた電子マネーの代金は後日決済される。尚、クレジットチャージにおいて、利用者の認証には、クレジットカードが用いられる。
【００１７】
デビットチャージは、銀行口座の預貯金残高の範囲内で電子マネーを記録媒体１００にチャージするもので、電子マネーの代金は即時決済される。尚、デビットチャージにおいて、利用者の認証には、デビットカード（キャッシュカード）が用いられる。
【００１８】
図１に示すように、本発明の実施の形態である電子マネーチャージ機１は、専用線、ネットワーク（ＬＡＮ）、あるいは広域ネットワーク（ＷＡＮ）を経由して、クレジット会社のクレジットサーバ２、銀行のデビットサーバ３、電子マネー運営会社の電子マネーサーバ４に接続されている。そして、現金チャージの場合には、電子マネーチャージ機１と電子マネーサーバ４との間で情報が送受信され、クレジットチャージの場合には、電子マネーチャージ機１とクレジットサーバ２との間、クレジットサーバ２と電子マネーサーバ４との間、電子マネーサーバ４と電子マネーチャージ機１との間で情報が送受信される。また、デビットチャージの場合には、電子マネーチャージ機１とデビットサーバ３との間、デビットサーバ３と電子マネーサーバ４との間、電子マネーサーバ４と電子マネーチャージ機１との間で情報が送受信される。
【００１９】
図２は、図１に示した電子マネーチャージ機の構成を簡略して示す斜視図である。ここに例示する電子マネーチャージ機１は、本体キャビネット１０および外扉１１を備えている。本体キャビネット１０は、鋼材を適宜組み合わせることにより構成した装置本体で、前面が開口した箱形形状を有している。外扉１１は、本体キャビネット１０の前面開口を閉塞するに足りる大きさを有したもので、開閉動作することにより本体キャビネット１０の前面開口を開閉するものである。
【００２０】
本体キャビネット１０と外扉１１との間には、外扉施錠手段１２が設けてある。外扉施錠手段１２は、キー孔からキーを挿入して操作した場合に施解錠の切り替えが可能となるものある。この外扉施錠手段１２は、施錠状態において本体キャビネット１０に対する外扉１１の開成移動を阻止する一方、解錠状態において本体キャビネット１０に対する外扉１１の開成移動を許容するように構成してある。
【００２１】
外扉１１の前面には、表示部１３、入力部１４、紙幣挿入口１５、カード挿入口１６およびリーダライタ２０が設けてある。表示部１３は、利用者に操作を案内するとともに、必要な情報を表示する部分であり、例えば液晶パネルにより構成してある。入力部１４は、電子マネーチャージ機１が必要とする情報を入力するためのもので、入金や取消等の押釦部１４１や暗証番号等を入力するためのテンキー部１４２を有している。また、表示部１３に表示される領域（例えば、チャージ金額表示領域等の各種情報表示領域）も入力部１４を構成することがある。
【００２２】
紙幣挿入口１５は、利用者が紙幣を挿入するための開口である。この紙幣挿入口１５を通じて挿入された紙幣は、金銭処理機１７（図３参照）においてその金種が識別され、その後、本体キャビネット１０の内部に配設された金庫（図示せず）に収容されることになる。また、紙幣挿入口１５は、金銭処理機１７において識別できなかった紙幣を返送するための紙幣返却口としても機能する。
【００２３】
カード挿入口１６は、利用者がクレジットカードやデビットカードを挿入するための開口である。このカード挿入口１６を通じて挿入されたクレジットカードやデビットカードは、図示しない送受信部を通じて識別情報等の送受信が行われる。また、カード挿入口１６は、送受信部を通じて識別情報等の送受信が行われたクレジットカードやデビットカードのカード返却口としても機能する。
【００２４】
リーダライタ２０は、所定の通信可能領域に保持された記録媒体１００であるマネーカードや携帯電話との間で識別情報および残高情報を送受信するためのものである。
【００２５】
図３は、上述した電子マネーチャージ機の制御系を示すブロック図である。尚、図３においては、本発明の特徴部分を実施するのに必要なものだけを示している。この図３において、電子マネーチャージ機１は、上記リーダライタ２０と主制御部３０とを備えている。
【００２６】
リーダライタ２０は、所定の通信可能領域に保持された記録媒体１００との間で情報の読み出しおよび書き込みを行う読み書き手段であり、通信部２１、リード部２２、ライト部２３、Ｒ／Ｗ記憶部２４およびＲ／Ｗ比較部２５を備えている。
【００２７】
通信部２１は、所定の通信可能領域に保持された記録媒体１００との間で情報の送受信を行うためのものである。リード部２２は、上記通信可能領域に保持された記録媒体１００に格納してある情報の読み出しを行うためのものである。ライト部２３は、上記通信可能領域の保持された記録媒体１００に対して情報の書き込みを行うためのものである。Ｒ／Ｗ記憶部２４は、リーダライタ２０の処理に必要な種々の情報を記憶するためのものである。Ｒ／Ｗ比較部２５は、詳細は後述するが、書込処理の際に相互認証を行って取得した記録媒体１００の固有の識別情報と、Ｒ／Ｗ記憶部２４に格納してある読出処理の際に相互認証を行って取得した記録媒体１００の固有の識別情報とが一致するか否かを比較するものである。
【００２８】
主制御部３０は、電子マネーチャージ機の動作を統括的に制御する制御手段であり、通信処理部３１、指令部３２、比較部３３および記憶部３４を備えている。
【００２９】
通信処理部３１は、図１にも示したクレジットサーバ２、デビットサーバ３、あるいは電子マネーサーバ４との間で情報の送受信を行うためのものである。指令部３２は、電子マネーチャージ機１の各部に対して各種指令を送出するものである。より具体的に説明すると、入金情報が与えられた場合には、リーダライタ２０に対して入金情報の書込指令を送出し、リーダライタ２０から後述するタイムアウト情報や書込不明情報が与えられた場合には、該リーダライタ２０に対して読出指令を送出し、リーダライタ２０から書込失敗情報が与えられた場合には、表示部１３に書込失敗メッセージを表示させる旨の指令を送出し、リーダライタ２０から書込成功情報が与えられた場合、あるいはリーダライタ２０に対象となる入金情報が格納されていることが確認できた場合には、表示部１３に書込成功メッセージを表示させる旨の指令を送出するものである。
【００３０】
比較部３３は、詳細は後述するが、リーダライタ２０から読出情報が与えられた場合に、該読出情報に含まれる記録媒体１００の固有の識別情報と、入金情報の書込指令の対象となる記録媒体１００の固有の識別情報とが一致するか否かの比較を行うものである。記憶部３４は、主制御部３０の処理に必要な種々の情報を記憶するためのものである。
【００３１】
図４は、リーダライタが実施する読出処理の処理内容を示すフローチャートであり、図５は、主制御部が実施する書込指令処理の処理内容を示すフローチャートであり、図６は、リーダライタが実施する書込処理の処理内容を示すフローチャートである。これら図４〜図６を参照しながら、電子マネーチャージ機１の動作について説明する。
【００３２】
読出処理におけるリーダライタ２０は、通信部２１を通じて所定の通信可能領域に記録媒体１００が保持されていることが確認されれば（ステップＳ１０１：Ｙｅｓ）、該記録媒体１００との間で相互認証を行い（ステップＳ１０２）、その後にリード部２２を通じて該記録媒体１００に格納してある情報の読み出しを行う（ステップＳ１０３）。ここで、相互認証した情報、並びに読み出した情報は、Ｒ／Ｗ記憶部２４に適宜記憶される。
【００３３】
情報の読み出しを行ったリーダライタ２０は、かかる読出情報を主制御部３０に送出して（ステップＳ１０４）、手順をリターンさせて今回の処理を終了する。尚、読出情報に含まれる情報は、主制御部３０の記憶部３４にも適宜記憶される。
【００３４】
このような読出処理がリーダライタ２０で実施された後、金銭処理機１７より紙幣挿入口１５を通じて投入された金銭に関する入金情報、あるいは通信処理部３１を通じてクレジットサーバ２、デビットサーバ３または電子マネーサーバ４より入金情報が与えられた場合には、主制御部３０は書込指令処理を、並びにリーダライタ２０は書込処理を実施する。以下に書込指令処理および書込処理について説明する。
【００３５】
書込指令処理における主制御部３０は、指令部３２を通じて上述した読出処理を実施したリーダライタ２０に入金情報の書込指令を送出し（ステップＳ２０１）、リーダライタ２０からの応答待ちとなる。
【００３６】
一方、書込処理におけるリーダライタ２０は、主制御部３０よりの入金情報の書込指令が与えられた場合には（ステップＳ３０１：Ｙｅｓ）、通信部２１を通じて所定の通信可能領域に記録媒体１００が保持されているか否かを確認し、予め決められた設定時間内に記録媒体１００が保持されたことが確認できなければ（ステップＳ３０２：Ｎｏ，ステップＳ３０３：Ｙｅｓ）、時間切れである旨のタイムアウト情報を主制御部３０に送出する（ステップＳ３０４）。かかるタイムアウト情報を送出したリーダライタ２０は、その後に手順をリターンさせて今回の処理を終了する。
【００３７】
予め決められた設定時間内に記録媒体１００が保持されたことが確認された場合には（ステップＳ３０２：Ｙｅｓ）、リーダライタ２０は、該記録媒体１００との間で相互認証を行う（ステップＳ３０５）。相互認証を行ったリーダライタ２０は、かかる相互認証を行った際に取得した記録媒体１００の固有の識別情報と、Ｒ／Ｗ記憶部２４に記憶してある上述の読出処理で相互認証を行った際に取得した記録媒体１００の固有の識別情報とが一致するか否かをＲ／Ｗ比較部２５を通じて比較し、予め決められた設定時間内に一致することが確認できなければ（ステップＳ３０６：Ｎｏ，ステップＳ３０７：Ｙｅｓ）、上述したタイムアウト情報を主制御部３０に送出する（ステップＳ３０４）。かかるタイムアウト情報を送出したリーダライタ２０は、その後に手順をリターンさせて今回の処理を終了する。
【００３８】
予め決められた設定時間内に一致することが確認された場合には（ステップＳ３０６：Ｙｅｓ）、リーダライタ２０は、ライト部２３を通じて記録媒体１００に入金情報の書き込みを行い、該記録媒体１００からの応答待ち、すなわち入金情報の書き込み終了の応答待ちとなる（ステップＳ３０８）。
【００３９】
入金情報の書き込みを行った結果、記録媒体１００からの応答がなければ（ステップＳ３０９：Ｎｏ）、リーダライタ２０は、書き込みが行われた否かが不明である旨の書込不明情報を主制御部３０に送出する（ステップＳ３１０）。かかる書込不明情報を送出したリーダライタ２０は、その後に手順をリターンさせて今回の処理を終了する。
【００４０】
一方、入金情報の書き込みを行った結果、記録媒体１００からの応答があれば（ステップＳ３０９：Ｙｅｓ）、リーダライタ２０は、書き込みが失敗であるか否かを確認する（ステップＳ３１１）。より詳細には、リーダライタ２０は、記録媒体１００からの応答に含まれる情報に書き込みを行った入金情報が含まれているか否かを確認する。その結果、入金情報が含まれていない場合には、書き込みが失敗であるとして、入金情報の書き込みが失敗した旨の書込失敗情報を主制御部３０に送出し（ステップＳ３１１：Ｙｅｓ，ステップＳ３１２）、その後に手順をリターンさせて今回の処理を終了する一方、入金情報が含まれている場合には、書き込みが成功であるとして、入金情報の書き込みが成功した旨の書込成功情報を主制御部３０に送出し（ステップＳ３１１：Ｎｏ，ステップＳ３１３）、その後に手順をリターンさせて今回の処理を終了する。
【００４１】
上記ステップＳ２０１でリーダライタ２０に入金情報の書込指令を送出して、該リーダライタ２０からの応答待ちとなっていた主制御部３０は、リーダライタ２０よりタイムアウト情報、もしくは書込不明情報が与えられたか否かを確認し（ステップＳ２０２）、いずれの情報も与えられておらず、書込失敗情報が与えられた場合には（ステップＳ２０２：Ｎｏ，ステップＳ２０３：Ｙｅｓ）、指令部３２を通じて表示部１３に書込失敗メッセージを表示させる旨の指令を送出し、表示部１３に入金情報の書き込みが失敗したことを表示させて（ステップＳ２０４）、その後に手順をリターンさせて今回の処理を終了する。
【００４２】
これによれば、電子マネーチャージ機１の利用者は、表示部１３の表示により入金（現金チャージ、クレジットチャージ、デビットチャージ）が失敗したことが容易に理解できる。このような書き込みが失敗した旨を表示する場合には、その旨の証明書（レシート）を利用者に発行しても構わないし、入金自体を取り消すような処理を行っても構わない。入金自体を取り消した場合には、投入された金額等は利用者に返却されることになる。
【００４３】
タイムアウト情報、もしくは書込不明情報のいずれの情報も与えられておらず、書込失敗情報が与えられていない場合、すなわち書込成功情報が与えられた場合には（ステップＳ２０２：Ｎｏ，ステップＳ２０３：Ｎｏ）、指令部３２を通じて表示部１３に書込成功メッセージを表示させる旨の指令を送出し、表示部１３に入金情報の書き込みが成功したことを表示させて（ステップＳ２０５）、その後に手順をリターンさせて今回の処理を終了する。
【００４４】
これによれば、電子マネーチャージ機１の利用者は、表示部１３の表示により入金（現金チャージ、クレジットチャージ、デビットチャージ）が成功したことが容易に理解できる。
【００４５】
一方、タイムアウト情報、もしくは書込不明情報が与えられた場合には（ステップＳ２０２：Ｙｅｓ）、主制御部３０は、指令部３２を通じてリーダライタ２０に読出指令を送出し（ステップＳ２０６）、該リーダライタ２０からの応答待ちとなる。このような読出指令が与えられたリーダライタ２０は、上述したようなステップＳ１０１〜ステップＳ１０４の読出処理を行うことになる。
【００４６】
そして、リーダライタ２０より読出情報が与えられた場合には（ステップＳ２０７：Ｙｅｓ）、主制御部３０は、比較部３３を通じて読出情報に含まれる記録媒体１００の固有の識別情報と、入金情報の書込指令の対象となる記録媒体１００の固有の識別情報とが一致するか否かの比較を行う（ステップＳ２０８）。より詳細には、主制御部３０は、比較部３３を通じて、記憶部３４に記憶してある記録媒体１００の固有の識別情報、すなわち入金情報の書込指令の対象となる記録媒体１００の固有の識別情報と、ステップＳ２０６の指令に基づいて実施された読出処理でリーダライタ２０より与えられた読出情報に含まれる記録媒体１００の固有の識別情報とが一致するか否かを比較する。
【００４７】
その結果、一致しない場合には（ステップＳ２０８：Ｎｏ）、主制御部３０は、指令部３２を通じて表示部１３に書込失敗メッセージを表示させる旨の指令を送出し、表示部１３に入金情報の書き込みが失敗したことを表示させて（ステップＳ２０４）、その後に手順をリターンさせて今回の処理を終了する。
【００４８】
一方、一致する場合には（ステップＳ２０８：Ｙｅｓ）、主制御部３０は、指令部３２を通じて読出情報にステップＳ２０１で送出した入金情報が含まれているか否かを確認し（ステップＳ２０９）、該入金情報が含まれている場合には（ステップＳ２０９：Ｙｅｓ）、表示部１３に書込成功メッセージを表示させる旨の指令を送出し、表示部１３に入金情報の書き込みが成功したことを表示させて（ステップＳ２０５）、その後に手順をリターンさせて今回の処理を終了する。
【００４９】
上記ステップＳ２０９において読出情報に入金情報が含まれていない場合には（ステップＳ２０９：Ｎｏ）、主制御部３０は、手順をステップＳ２０１に戻して、上述した処理を繰り返すことになる。
【００５０】
これによれば、電子マネーチャージ機１は、入金情報の書込指令を与えられたリーダライタ２０が予め決められた所定時間内に記録媒体１００に書き込みができなかった場合、あるいは記録媒体１００に入金情報の書き込みが行われたか否かが不明の場合には、すなわちリーダライタ２０からタイムアウト情報もしくは書込不明情報が与えられた場合には、主制御部３０が、リーダライタ２０を通じて通信可能領域に保持された記録媒体１００から情報の読み出しを行い、該記録媒体１００が書込指令の対象となる記録媒体１００と一致すること、並びに該記録媒体１００に書込指令での入金情報が与えられていないことを確認した上で、リーダライタ２０に書込指令を与えて再度書き込みを行うことになる。
【００５１】
以上説明したように、本発明の実施の形態における電子マネーチャージ機１によれば、リーダライタ２０からタイムアウト情報もしくは書込不明情報が与えられた場合には、主制御部３０が、リーダライタ２０を通じて通信可能領域に保持された記録媒体１００から情報の読み出しを行い、該記録媒体１００が書込指令の対象となる記録媒体１００と一致すること、並びに該記録媒体１００に書込指令での入金情報が与えられていないことを確認した上で、リーダライタ２０に書込指令を与えて再度書き込みを行うので、記録媒体１００のかざし方等により、所定時間内に記録媒体１００に書き込みができないことや、記録媒体１００に入金情報の書き込みが行われたか否かが不明となっても再度書き込みを行って、書き込みが失敗して未了扱いとなる記録媒体１００の数を減少させることができる。従って、入金情報の書き込みが失敗となる事象を減少させることにより、入金に関するトラブルを減少させることができる。
【産業上の利用可能性】
【００５２】
以上のように、本発明に係る入金処理装置は、所定の通信可能領域に保持された記録媒体に対して、投入された金銭に対応する入金情報を付与するのに有用である。
【図面の簡単な説明】
【００５３】
【図１】本発明の実施の形態における電子マネーチャージ機（入金処理装置）が適用される電子マネーチャージシステムの構成を示すブロック図である。
【図２】図１に示した電子マネーチャージ機の構成を簡略して示す斜視図である。
【図３】電子マネーチャージ機の制御系を示すブロック図である。
【図４】リーダライタが実施する読出処理の処理内容を示すフローチャートである。
【図５】主制御部が実施する書込指令処理の処理内容を示すフローチャートである。
【図６】リーダライタが実施する書込処理の処理内容を示すフローチャートである。
【符号の説明】
【００５４】
１          電子マネーチャージ機
１０        本体キャビネット
１１        外扉
１３        表示部
２０        リーダライタ
２１        通信部
２２        リード部
２３        ライト部
２４        Ｒ／Ｗ記憶部
２５        Ｒ／Ｗ比較部
３０        主制御部
３１        通信処理部
３２        指令部
３３        比較部
３４        記憶部
１００      記録媒体
【図１】
0004930328.tif 000002
【図２】
0004930328.tif 000003
【図３】
0004930328.tif 000004
【図４】
0004930328.tif 000005
【図５】
0004930328.tif 000006
【図６】
0004930328.tif 000007